(57)【要約】【課題】例えばＡＬＣ（軽量気泡コンクリート）パネル等のコンクリート系パネル内に埋設して該パネルを建物躯体等に取付ける際に用いる埋込アンカー及びそれを埋設したコンクリート系パネルに係り、地震等の振動でパネルに面外方向の力が作用した場合にもパネルにひび割れや破損等が生じるのを良好に防止できるようにする。【解決手段】コンクリート系パネル４内に埋設して該パネル４を建物躯体等に取付ける際に用いるパネル取付用埋込アンカー１０であって、パネル取付用のアンカーボルト１３を螺合する雌ねじ孔１１ａを有する略筒状のアンカー本体１１と、上記パネル４内に埋設される補強鉄筋５に上記アンカー本体１１を取付け支持させるためのアンカー支持プレート１２とを備え、上記アンカー本体１１をアンカー支持プレート１２に対して容易に相対傾動可能に構成したことを特徴とする。【選択図】  図１
2009138503.tif 000002
【特許請求の範囲】
【請求項１】
コンクリート系パネル内に埋設して該パネルを建物躯体等に取付ける際に用いるパネル取付用埋込アンカーであって、
パネル取付用のアンカーボルトを螺合する雌ねじ孔を有する略筒状のアンカー本体と、上記パネル内に埋設される補強鉄筋に上記アンカー本体を取付け支持させるためのアンカー支持プレートとを備え、上記アンカー本体をアンカー支持プレートに対して容易に相対傾動可能に構成したことを特徴とするパネル取付用埋込アンカー。
【請求項２】
上記アンカー本体をアンカー支持プレートに対して容易に相対傾動可能に構成する手段として、上記アンカー支持プレートのアンカー本体取付部の近傍にスリット状の切り込みを形成してなる請求項１に記載のパネル取付用埋込アンカー。
【請求項３】
上記アンカー本体をアンカー支持プレートに対して容易に相対傾動可能に構成する手段として、上記アンカー支持プレートにおけるアンカー本体取付部の幅を補強鉄筋への取付部の幅よりも狭く形成してなる請求項１に記載のパネル取付用埋込アンカー。
【請求項４】
上記アンカー本体をアンカー支持プレートに対して容易に相対傾動可能に構成する手段として、上記アンカー本体を、横軸と、それに嵌合する筒体とを介して上記アンカー支持プレートに相対傾動可能に連結してなる請求項１に記載のパネル取付用埋込アンカー。
【請求項５】
上記請求項１〜４のいずれかに記載のパネル取付用埋込アンカーのアンカー本体をアンカー支持プレートに連結保持させ、かつ上記アンカー支持プレートを補強鉄筋に溶接等で固着した状態で、該補強鉄筋と共に上記埋込アンカーをパネル内に埋設し、上記埋込アンカーのアンカー本体の周囲に該アンカー本体の相対傾動を許容する隙間を形成したことを特徴とするコンクリート系パネル。
【発明の詳細な説明】
【技術分野】
【０００１】
本発明は、例えばＡＬＣ（軽量気泡コンクリート）パネル等のコンクリート系パネル内に埋設して該パネルを建物躯体等に取付ける際に用いる埋込アンカー及びそれを埋設したコンクリート系パネルに関する。
【背景技術】
【０００２】
従来ＡＬＣパネル等のコンクリート系パネルは建物の外壁材などとして広く利用され、このようなコンクリート系パネルの建物躯体に対する取付方法も従来より種々提案されている。その取付方法の1つとして下記特許文献１〜３に記載のように予め補強鉄筋に溶接等で固着した状態で該補強鉄筋とともにパネル内に埋設される埋込アンカーを用いて、上記パネルを梁材等の建物躯体に取付けることが提案されている。
【０００３】
図１０はその一例を示すもので、本例は建物躯体としてのＨ型鋼等よりなる梁材１の下面側に溶接等で取付けたアングル材よりなる下地鋼材２に、イナズマ形のパネル取付金具３を溶接Ｗ等で取付け、その取付金具３にＡＬＣパネル等よりなるコンクリート系パネル４を、該パネル４内に埋設した埋込アンカー１０と、それに螺合するアンカーボルト１３とで取付けることによって、上記パネル４をアンカーボルト１３を中心に揺動可能に取付け支持させた構成である。
【０００４】
上記埋込アンカー１０は、図１１の（ａ）に示すように上記アンカーボルト１３を螺合するための雌ねじ孔１１ａを有する筒状のアンカー本体１１と、そのアンカー本体１１を支持するアンカー支持プレート１２とよりなり、その支持プレート１２は図の場合は横長の長方形状に形成されている。その支持プレート１２のほぼ中央部に上記アンカー本体１１をほぼ垂直に起立させた状態で溶接等により取付け支持させると共に、上記支持プレート１２の長手方向両端部を上記パネル４に埋設した補強鉄筋５の縦筋５ａに溶接Ｗ等で取付けたものである。
【０００５】
なお、上記のようなアンカー本体を支持するアンカー支持プレート１２としては、上記図１１（ａ）以外に例えば同図（ｂ）〜（ｄ）のような構成のものもある。即ち、図１１（ｂ）はアンカー支持プレート１２を断面コ字形（チャンネル形）に形成して、その基板面１２ａの中央部にアンカー本体１１を取付けると共に、対向片１２ｂ・１２ｂの両端部を補強鉄筋５の縦筋５ａに溶接等で取付けた構成である。
【０００６】
また、図１１（ｃ）および（ｄ）はアンカー支持プレート１２を断面Ｌ字形（アングル形）に形成して、その一方の片１２ｃの両端部を補強鉄筋５の縦筋５ａに溶接等で固着すると共に、他方の片１２ｄの中央部にアンカー本体１１を溶接等で取付けたもので、特に図１１（ｃ）は上記両片１２ｃ・１２ｄを全長にわたってほぼ一定幅に形成した構成であるのに対して同図（ｄ）はアンカー本体１１を取付ける側の片１２ｄの長手方向中央部が幅広になるように平面山形に形成して、その最も幅の広い長手方向中央部にアンカー本体１１を取付けたものである。
【０００７】
上記いずれの場合においても、パネル内に埋設した埋込アンカー１０にアンカーボルト１３をねじ込むことによって上記パネルを梁材等の建物躯体に取付けるものであるから、例えば地震等の振動でパネルに面方向（パネルの面と平行な方向、以下同様）の力が作用した場合には、上記パネルは上記アンカーボルトを中心に揺動することによって該パネルに掛かる荷重や衝撃を緩和することができるが、上記パネルに面外方向（パネルの面と平行な方向以外の方向、以下同様）の力が作用した場合には、上記パネルにひび割れが生じたり破損する等のおそれがある。
【０００８】
そこで、上記アンカー本体１１とアンカー支持プレート１２等からなる埋込アンカーや上記補強鉄筋の強度、特にアンカー支持プレート１２の厚さや補強鉄筋の太さ或いは材質等を変更して強度を高めることが考えられるが、そのようにすると、材料コストや重量が増大するだけでなく、地震等の振動によってパネルにひび割れや破損等が生じるのを充分に防止し得る強度を確保するのは困難である等の問題があった。
【０００９】
【特許文献１】実開昭５９−１６８４０９号公報
【特許文献２】実公平５−４５０５号公報
【特許文献３】実公平６−３３６４４号公報
【発明の開示】
【発明が解決しようとする課題】
【００１０】
本発明は上記の問題点に鑑みて提案されたもので、地震等の振動でパネルに面外方向の力が作用した場合にもパネルにひび割れや破損等が生じるのを良好に防止することのできるパネル取付用埋込アンカー及びそれを埋設したコンクリート系パネルを提供することを目的とする。
【課題を解決するための手段】
【００１１】
上記の目的を達成するために本発明によるパネル取付用埋込アンカー及びそれを埋設したコンクリート系パネルは、以下の構成としたものである。すなわち、本発明によるパネル取付用埋込アンカーは、コンクリート系パネル内に埋設して該パネルを建物躯体等に取付ける際に用いるパネル取付用埋込アンカーであって、パネル取付用のアンカーボルトを螺合する雌ねじ孔を有する略筒状のアンカー本体と、上記パネル内に埋設される補強鉄筋に上記アンカー本体を取付け支持させるためのアンカー支持プレートとを備え、上記アンカー本体をアンカー支持プレートに対して容易に相対傾動可能（相対的に傾動可能）に構成したことを特徴とする。
【００１２】
上記アンカー本体をアンカー支持プレートに対して容易に相対傾動可能に構成する手段としては、例えばアンカー支持プレートのアンカー本体取付部の近傍にスリット状の切り込みを形成する、または上記アンカー支持プレートにおけるアンカー本体取付部の幅を補強鉄筋への取付部の幅よりも狭く形成する、或いは上記アンカー本体を横軸と、それに嵌合する筒体とを介してアンカー支持プレートに相対傾動可能に連結する等その他適宜である。
【００１３】
また本発明によるコンクリート系パネルは、上記のようなパネル取付用埋込アンカーのアンカー本体をアンカー支持プレートに連結保持させ、かつ上記アンカー支持プレートを補強鉄筋に溶接等で固着した状態で、該補強鉄筋と共に上記埋込アンカーをパネル内に埋設し、上記埋込アンカーのアンカー本体の周囲に該アンカー本体の相対傾動を許容する隙間を形成したことを特徴とする。
【発明の効果】
【００１４】
上記のように構成された本発明によるパネル取付用埋込アンカー及びそれを埋設したコンクリート系パネルによれば、地震等の振動で上記パネルに面外方向の力が作用した場合には、アンカー本体がアンカー支持プレートに対して容易に相対傾動することによって上記パネルに無理な力が作用するのが防止され、それによって上記パネルにひび割れや破損等が生じるのを良好に防止することが可能となるものである。
【発明を実施するための最良の形態】
【００１５】
以下、本発明によるパネル取付用埋込アンカー及びそれを埋設したコンクリート系パネルを図に示す実施形態に基づいて具体的に説明する。なお、前記従来例と同様の機能を有する部材には同一の符号を付して説明する。
【００１６】
図１は本発明によるパネル取付用埋込アンカーを埋設したコンクリート系パネル、特に本実施形態はＡＬＣパネルに適用したもので、パネル４の厚さ方向に一対設けた格子状の補強鉄筋５の一方にパネル取付用埋込アンカー１０を取付けたものである。
【００１７】
上記のパネル取付用埋込アンカー１０は、本実施形態においては図２および図３に示すように、前記と同様のアンカーボルト１３を螺合するための雌ねじ孔１１ａを有する略筒状のアンカー本体１１と、パネル４内に埋設される補強鉄筋５に上記アンカー本体１１を取付け支持させるためのアンカー支持プレート１２とを備え、その支持プレート１２は本実施形態においては前記図１１（ａ）と同様に横長の長方形状に形成されている。
【００１８】
上記埋込アンカー１０は、上記支持プレート１２のほぼ中央部にアンカー本体１１をほぼ垂直に起立させた状態で取付けたもので、特に図の場合は支持プレート１２のほぼ中央部に形成した円形の貫通穴１２０内に略円形筒状のアンカー本体１１を挿通し、そのアンカー本体１１の一端部にそれと一体的に設けた大径のフランジ部１１ｂを上記支持プレート１２に当接させて抜け止め係止させると共に、上記フランジ部１１ｂを上記支持プレート１２に溶接等で固着した構成である。
【００１９】
そして本発明は上記のようなアンカー本体１１をアンカー支持プレート１２に対して容易に相対傾動可能に構成したもので、その手段として本実施形態においては上記支持プレート１２のアンカー本体取付部（上記貫通穴１２０の周縁部付近）１２１の図で上下両側に、該支持プレート１２の長手方向とほぼ平行な方向のスリット状の切り込み１２２を形成したものである。
【００２０】
上記のようにして切り込み１２２を形成したアンカー支持プレート１２にアンカー本体１１を取付け、上記支持プレート１２を補強鉄筋５に取付けるもので、図の場合は上記支持プレート１２の長手方向（図１，図２および図３（ａ）で左右方向）両端部を、前記一方の補強鉄筋５における横方向に隣り合う一対の縦筋５ａにそれぞれ溶接等で取付けた構成である。
【００２１】
このようにして補強鉄筋５に埋込アンカー１０を溶接等で取付けた状態で、それらをコンクリート系パネル４内に埋設するもので、例えば本実施形態のようなＡＬＣパネルにあっては、それを型成形等で形成する際に、上記埋込アンカー１０を取付けた補強鉄筋５を成形型内に配置した状態で該成形型内に原料スラリーを投入して所望の形状のパネルを成形した後、オートクレーブ等で加熱養生すればよい。
【００２２】
なお、上記のようにして補強鉄筋５と共にパネル４内に埋設したパネル取付用埋込アンカー１０のアンカー本体１１の周囲には、該アンカー本体１１の相対的な傾動を許容する隙間Ｓを形成するもので、その隙間Ｓはパネル４を成形した後に掘削加工等で形成してもよいが、パネル４を上記のように型成形する際にアンカー本体１１の周囲に筒状のスペーサ等を嵌めた状態で型成形したのち上記スペーサを除去すれば、上記アンカー本体１１の周囲に容易に隙間Ｓを形成することができる。また上記スペーサとして例えば独立気孔性のスポンジ等の弾性体を用いれば上記隙間Ｓを形成した後そのまま残留させても上記アンカー本体１１の傾動を許容することができる。
【００２３】
上記のようにしてパネル取付用埋込アンカー１０を埋設したＡＬＣ等のコンクリート系パネル４を建物躯体に取付ける場合には、例えば前記図１０と同様の要領で取付ければよい。図４（ａ）はその一例を示すもので、前記と同様に梁材１の下面側に取付けた下地鋼材２に、パネル取付金具３を溶接Ｗ等で取付け、その取付金具３に形成した不図示のボルト挿通孔にアンカーボルト１３を挿通すると共に、その先端部を上記パネル４内に埋設したアンカー本体１１の雌ねじ孔１１ａにねじ込むことによって、上記パネル４を上記アンカーボルト１３を中心に揺動可能に取付けたものである。
【００２４】
上記の構成において、例えば地震等の振動により梁材１が図４（ａ）で前後方向に揺れて上記パネル４に面方向の力が作用した場合には、上記パネル４は前記従来例と同様にアンカーボルト１３を中心に揺動して該パネル４に掛かる荷重や衝撃を緩和することができる。また上記梁材１が例えば図４（ｂ）のように左方に揺れて上記パネル４に面外方向、例えば図中の矢印のようにパネルの厚さ方向の力が作用した場合には、上記アンカー支持プレート１２に対して容易に相対傾動可能に構成したアンカー本体１１が上記支持プレート１２に対して容易に相対的に傾動することによって、上記パネル４に無理な力や衝撃が作用するのが防止され、該パネル４にひび割れが生じたり破損するのを良好に防止することができる。
【００２５】
特に、上記図１〜図４実施形態においては、前述のようにアンカー支持プレート１２のアンカー本体取付部１２１の上下両側にスリット状の切り込み１２２を設けたことによって、上記取付部１２１の上下方向の実質的な幅が狭くなって変形し易くなり、アンカー支持プレート１２に対してアンカー本体１１が容易に相対傾動可能となる。そのため、上記パネル４に面外方向の力が作用したときには、図４（ｂ）のようにアンカー支持プレート１２の長手方向両端部の補強鉄筋５の縦筋５ａに対する取付部１２３が、該縦筋５ａとともに傾斜しても支持プレート１２の中央部のアンカー本体取付部１２１は図のように上記取付部１２３に対して相対的に変形して、アンカー本体１１の向きを、それに螺合するアンカーボルト１３と同方向のほぼ水平な状態に維持することができると共に、パネル４の傾動を許容することができる。それによって、上記パネル４に無理な力や衝撃が作用するのが防止され、該パネル４にひび割れが生じたり破損するのを防ぐことができるものである。
【００２６】
また上記パネル４が傾斜した際、アンカー本体１１は、図４（ｂ）のようにパネル４の面方向と直角な方向に対して相対的に傾斜した状態となるが、そのアンカー本体１１の周囲には前述のように隙間Ｓが形成されているので、上記アンカー本体１１のパネル４に対する相対傾動や上記支持プレート１２の変形が阻害されることはない。上記隙間Ｓに前記のようなスポンジ等の弾性体よりなるスペーサを介在させた場合も同様である。
【００２７】
なお、上記実施形態は、Ｈ形鋼よりなる梁材１の下面側に下地鋼材２を取付けたが、梁材１の上面側に下地鋼材２を取付け、その下地鋼材２に取付けたパネル取付金具３にパネル４を取付ける場合にも適用可能である。また、パネル４の下部を建物躯体に係止する場合、前記のアンカーボルト１３を中心とするパネル４の面方向の回動および面外方向の傾動を可能に構成すれば、上記パネル下部の建物躯体に対する係止構成は適宜であるが、例えば下地鋼材に係合させるイナズマプレート等を用い、それらを取付けるために埋込アンカーを用いる場合には、その埋込アンカーも上記と同様に構成すると、同様の作用効果が得られる。
【００２８】
また上記実施形態は、アンカー本体１１をアンカー支持プレート１２に対して容易に相対傾動可能に構成する手段として平板状のアンカー支持プレート１２のアンカー本体１１の取付部１２１の上下両側にスリット状の切り込み１２２を形成したが、その切り込み１２２の代わりに図５のような切り欠き凹部１２４を形成してもよい。或いは前記図１１（ｂ）のような断面コ字形のアンカー支持プレート１２を用いる場合には、図６に示すように上記コ字形プレート１２の基板面１２ａに前記と同様のスリット状の切り込み１２２を形成してもよく、また前記図１１（ｃ）または（ｄ）のような断面Ｌ字形のアンカー支持プレート１２を用いる場合には、図７（ａ）および（ｂ）に示すように上記Ｌ字形プレート１２の角部付近にスリット状その他任意形状の切り込み１２２を形成してもよい。そのいずれの場合にも前記と同様の作用効果が得られる。
【００２９】
さらに上記アンカー本体１１をアンカー支持プレート１２に対して容易に相対傾動可能に構成する手段として、例えば図８および図９に示すようにアンカー本体１１を横軸１４と、それに嵌合する筒体１５とを介してアンカー支持プレート１２に対して相対傾動可能に連結してもよい。図の場合は、前記と同様に雌ねじ孔１１ａを有する略筒状のアンカー本体１１を、筒体１５に溶接等で固着し、その筒体１５内に相対回動可能に挿通嵌合した横軸１４の両端部をアンカー支持プレート１２に溶接Ｗ等で固着したもので、そのアンカー支持プレート１２として図８は前記図１〜図３と同様に平板状のものを用いた例、図９は前記図６と同様に断面コ字形のものを用いた例である。上記図８および図９において、１２５は上記アンカー本体１１がアンカー支持プレート１２に対して相対傾動する際に上記アンカー本体１１と筒体１５とがアンカー支持プレート１２と干渉するのを避けるための開口部である。
【産業上の利用可能性】
【００３０】
以上のように本発明によれば、地震等の振動でＡＬＣパネル等のコンクリート系パネルに面外方向の力が作用した場合には、アンカー本体がアンカー支持プレートに対して容易に相対傾動することによって上記パネルに無理な力が作用するのが防止され、それによって上記パネルにひび割れや破損等が生じるのを良好に防止することが可能となるもので、ＡＬＣパネルに限らず、補強鉄筋と共にパネル取付用の埋込アンカーを埋設する各種のコンクリート系パネルにも適用可能であり、産業上も有効に利用できるものである。
【図面の簡単な説明】
【００３１】
【図１】本発明によるパネル取付用埋込アンカーを埋設したコンクリート系パネルの斜視図。
【図２】上記パネルに埋設したパネル取付用埋込アンカーの拡大図。
【図３】（ａ）は上記アンカーの正面図、（ｂ）および（ｃ）はそれぞれ（ａ）におけるｂ−ｂおよびｃ−ｃ断面図。
【図４】（ａ）は上記パネルを建物躯体に取付けた状態の一例を示す縦断面図、（ｂ）は上記パネルが地震等の振動で傾斜した状態の同上図。
【図５】（ａ）は本発明によるパネル取付用埋込アンカーの他の実施形態を示す正面図、（ｂ）は（ａ）におけるｂ−ｂ断面図。
【図６】（ａ）は本発明によるパネル取付用埋込アンカーの更に他の実施形態を示す斜視図、（ｂ）は（ａ）におけるｂ−ｂ断面図。
【図７】（ａ）および（ａ）はそれぞれ本発明によるパネル取付用埋込アンカーの更に他の実施形態を示す斜視図。
【図８】（ａ）は本発明によるパネル取付用埋込アンカーの更に他の実施形態を示す正面図、（ｂ）および（ｃ）はそれぞれ（ａ）におけるｂ−ｂおよびｃ−ｃ断面図。
【図９】（ａ）は本発明によるパネル取付用埋込アンカーの更に他の実施形態を示す正面図、（ｂ）および（ｃ）はそれぞれ（ａ）におけるｂ−ｂおよびｃ−ｃ断面図。
【図１０】従来のパネル取付用埋込アンカーを用いたパネルの取付構造を示す縦断面図。
【図１１】（ａ）〜（ｄ）はそれぞれ従来のパネル取付用埋込アンカーの一例を示す斜視図。
【００３２】
１  梁材（建物躯体）
２  下地鋼材
３  パネル取付金具
４  パネル
５  補強鉄筋
５ａ  縦筋
１０  パネル取付用埋込アンカー
１１  アンカー本体
１２  アンカー支持プレート
１２ａ  基板面
１２ｂ  対向片
１２ｃ、１２ｄ  片
１３  アンカーボルト
１４  横軸
１５  筒体
Ｓ  隙間
Ｗ  溶接
【図１】
2009138503.tif 000003
【図２】
2009138503.tif 000004
【図３】
2009138503.tif 000005
【図４】
2009138503.tif 000006
【図５】
2009138503.tif 000007
【図６】
2009138503.tif 000008
【図７】
2009138503.tif 000009
【図８】
2009138503.tif 000010
【図９】
2009138503.tif 000011
【図１０】
2009138503.tif 000012
【図１１】
2009138503.tif 000013